(57)【要約】【課題】  集塵室の発光表示の視認性を高めた電気掃除機を提供する。【解決手段】  集塵室１３内部またはその近傍に設けられた発光表示手段２７と、前記発光表示手段２７および前記集塵室１３を覆う蓋体１８とを備え、前記蓋体１８を透光性を有する透明または半透明部２５と前記透光性を有する透明または半透明部２５より透光性の低い部分２４とから形成したもので、蓋体１８の透光性の低い部分２４により外部からの光を入りにくくできるので、集塵室１３内部の発光表示手段２７が点灯した場合、透明または半透明部２５からの発光表示手段２７の視認性を向上させることができる。【選択図】  図１
2005065914.tif 000002
【特許請求の範囲】
【請求項１】
集塵室内部またはその近傍に設けられた発光表示手段と、前記発光表示手段および前記集塵室を覆う蓋体とを備え、前記蓋体を透光性を有する部分と前記透光性を有する部分より透光性の低い部分とから形成した電気掃除機。
【請求項２】
蓋体の全面積のうち、透光性を有する部分の面積よりも前記透光性を有する部分より透光性の低い部分の面積の方を大きくした請求項１記載の電気掃除機。
【請求項３】
発光表示手段および集塵室内部の少なくとも一部を外方から目視できる範囲のみに、透光性を有する部分を配設した請求項１または２記載の電気掃除機。
【請求項４】
透光性の低い部分に開口部を形成し、前記開口部に透光性を有する部分を配設して、蓋体を形成した請求項１〜３のいずれか１項に記載の電気掃除機。
【請求項５】
透光性を有する部分と前記透光性を有する部分より透光性の低い部分とは、溶着又は接着により固定する請求項５記載の電気掃除機。
【請求項６】
透光性を有する部分の略外周を溶着又は接着する請求項６記載の電気掃除機。
【請求項７】
透光性を有する部分と前記透光性を有する部分より透光性の低い部分との間に、軟質部材を設けた請求項１〜７のいずれか１項に記載の電気掃除機。
【請求項８】
蓋体を透光性を有する部材で形成し、前記透光性を有する部分のうち、発光表示手段および集塵室内部の少なくとも一部を外方から目視できる範囲外には、前記透光性を有する部材より透光性の低い部材を配設した請求項１〜３のいずれか１項に記載の電気掃除機。
【請求項９】
蓋体を透光性を有する部材で形成し、前記透光性を有する部分のうち、発光表示手段および集塵室内部の少なくとも一部を外方から目視できる範囲外には、塗装を施した請求項８記載の電気掃除機。
【請求項１０】
透光性を有する部分と前記透光性を有する部分より透光性の低い部分とを一体成形して蓋体を形成した請求項１〜３のいずれか１項に記載の電気掃除機。
【請求項１１】
透光性を有する部分より透光性の低い部分を、シボ加工により形成した請求項１〜８、１０のいずれか１項に記載の電気掃除機。
【請求項１２】
集塵室内部に吸引された塵埃を捕集する紙袋と、前記紙袋に付着した塵埃を除塵する除塵手段とを備え、発光表示手段を前記除塵手段の動作状態を報知するものとした請求項１〜１１のいずれか１項に記載の電気掃除機。
【発明の詳細な説明】
【技術分野】
【０００１】
本発明は、発光表示手段を有する電気掃除機に関するものである。
【背景技術】
【０００２】
従来の電気掃除機を、図１３を用いて説明する。
【０００３】
掃除機本体は前方に掃除口部１、後方に主体２で構成され、主体２内部にファンモータ３と、ゴミを集積させる吸込口４を備えたフィルタ５と、フィルタ室に照明６が設けられている。７は主体２の外筐上面に設けられたフィルタ交換用の開閉又は取外し可能な蓋である。前記吸込口４は上面の吸込気管８に近い部分に設けられている。９はファンモータ３から排出された排気を掃除口部１に戻す還流気管である。６は照明用電球（光源）であり、ファンモータ３と共にＯＮ／ＯＦＦ、又はファンモータ３と共にＯＮ／ＯＦＦ毎に一定時間点灯するようになっている。蓋７は透明、半透明又はハーフミラーで形成されている。
【０００４】
以上のように構成された電気掃除機の動作を説明する。
【０００５】
蓋７が透明な時はフィルタ５の外観がよく見え、ゴミ集積性を目視することができる。蓋７を半透明又はハーフミラーにすると、通常は内部のフィルタ５がよく見えないので、美観が向上する。そして、蓋の内部の光源６を点灯することで内部のフィルタ５をよく見ることができるので、ゴミ集積性を知ることができる(例えば、特許文献１参照)。
【特許文献１】特開２０００−１３９７８８号公報
【発明の開示】
【発明が解決しようとする課題】
【０００６】
しかしながら、上記構成では、蓋７が透明の場合、蓋７全体から外部の光が入り込むため、蓋７の内部の光源６が点灯しても内部が見えにくくなる。又、蓋７が半透明又はハーフミラーの場合、完全透明より透過性が低下するため、蓋７内部の光源６が点灯しても光が蓋７にさえぎらえて視認性を損なう物となっていた。
【０００７】
本発明は上記課題を解決するもので、集塵室の発光表示の視認性の高い電気掃除機を提供することを目的とするものである。
【課題を解決するための手段】
【０００８】
上記従来の課題を解決するために本発明は、集塵室内部またはその近傍に設けられた発光表示手段と、前記発光表示手段および前記集塵室を覆う蓋体とを備え、前記蓋体を透光性を有する部分と前記透光性を有する部分より透光性の低い部分とから形成したもので、蓋体の前記透光性を有する部分より透光性の低い部分により外部からの光を入りにくくできるので、集塵室内部の発光表示手段が点灯した場合、透光性を有する部分からの発光表示手段の視認性を向上させることができる。
【発明の効果】
【０００９】
本発明によれば、集塵室の発光表示の視認性を高めた電気掃除機を提供することができる。
【発明を実施するための最良の形態】
【００１０】
第１の発明は、集塵室内部またはその近傍に設けられた発光表示手段と、前記発光表示手段および前記集塵室を覆う蓋体とを備え、前記蓋体を透光性を有する部分と前記透光性を有する部分より透光性の低い部分とから形成した集塵室内部またはその近傍に設けられた発光表示手段と、前記発光表示手段および前記集塵室を覆う蓋体とを備え、前記蓋体を透光性を有する部分と前記透光性を有する部分より透光性の低い部分とから形成したもので、蓋体の前記透光性を有する部分より透光性の低い部分により外部からの光を入りにくくできるので、集塵室内部の発光表示手段が点灯した場合、透光性を有する部分からの発光表示手段の視認性を向上させることができる。
【００１１】
第２の発明は、蓋体の全面積のうち、透光性を有する部分の面積よりも前記透光性を有する部分より透光性の低い部分の面積の方を大きくしたもので、蓋体の前記透光性を有する部分より透光性の低い部分により外部からの光をより一層入りにくくし、集塵室内部の発光表示手段が点灯した場合、透光性を有する部分からの発光表示手段の視認性をさらに向上させることができる。
【００１２】
第３の発明は、発光表示手段および集塵室内部の少なくとも一部を外方から目視できる範囲のみに、透光性を有する部分を配設したもので、集塵室内部の発光表示手段が点灯した場合、容易に発光表示手段を視認できる電気掃除機を提供することができる。また、集塵室内部の少なくとも一部を、外方から目視できるため、集塵状態、例えば、塵埃集積の状態や集塵室内における塵埃のこぼれ具合等も、外方から目視確認できるため、使用性が向上する。
【００１３】
第４の発明は、前記透光性を有する部分より透光性の低い部分に開口部を形成し、前記開口部に透光性を有する部分を配設して、蓋体を形成したもので、発光表示手段の視認性を向上させ、かつ組立てが容易に行える。
【００１４】
第５の発明は、透光性を有する部分と前記透光性を有する部分より透光性の低い部分とは、溶着又は接着により固定するもので、確実な固定が行える。
【００１５】
第６の発明は、透光性を有する部分の略外周を溶着又は接着するもので、透光性を有する部分のソリに影響すること無く確実な固定が行える。
【００１６】
第７の発明は、透光性を有する部分と前記透光性を有する部分より透光性の低い部分との間に、軟質部材を設けたもので、電気掃除機の落下あるいは、家具等への衝突等により、若干溶着又は接着部に外れが発生したとしても、軟質部材により集塵室内部へ外気が流入するのを防止することができ、電気掃除機の吸引力を低下させることが無いのである。
【００１７】
第８の発明は、蓋体を透光性を有する部材で形成し、前記透光性を有する部分のうち、発光表示手段および集塵室内部の少なくとも一部を外方から目視できる範囲外には、前記透光性を有する部材より透光性の低い部材を配設したもので、発光表示手段の視認性を向上させ、かつ電気掃除機の落下あるいは、家具等への衝突等によりエアー漏れを起こすことが無い、電気掃除機を提供できる。
【００１８】
第９の発明は、蓋体を透光性を有する部材で形成し、前記透光性を有する部分のうち、発光表示手段および集塵室内部の少なくとも一部を外方から目視できる範囲外には、塗装を施したもので、発光表示手段の視認性を向上させ、かつ電気掃除機の落下あるいは、家具等への衝突等によりエアー漏れを起こすことが無く、構成も容易となり安価な電気掃除機を提供できる。
【００１９】
第１０の発明は、透光性を有する部分と前記透光性を有する部分より透光性の低い部分とを一体成形して蓋体を形成したもので、発光表示手段の視認性を向上させると共に、エアータイトも確実に行え、さらには蓋体の前記透明と可視性を有しない部材を組立てる製造工程が簡略化でき、安価な電気掃除機を提供できる。
【００２０】
第１１の発明は、透光性を有する部分より透光性の低い部分を、シボ加工により形成したもので、一部品で透光性を有する部分と透光性の低い部分を同時に成形することができ、さらに製造工程が簡略化でき、安価な電気掃除機を提供できる。
【００２１】
第１２の発明は、集塵室内部に吸引された塵埃を捕集する紙袋と、前記紙袋に付着した塵埃を除塵する除塵手段とを備え、発光表示手段を前記除塵手段の動作状態を報知するものとしたもので、紙袋内部の除塵動作時、紙袋が膨らんだ状態でも発光表示手段の視認性を損なうことが無いのである。
【００２２】
以下、本発明の実施の形態について、図面を参照しながら説明する。なお、この実施の形態によりこの発明が限定されるものではない。
【００２３】
（実施の形態１）
本発明の第１の実施の形態について、図１〜図８を用いて説明する。
【００２４】
図１〜５において、掃除機本体１０は、外郭を形成する上方開口した下カバー１１の前方に、塵埃を捕集する集塵手段１２を収納する集塵室１３と、後方に吸引風を発生する電動送風機１４を収納する電動送風機室１５を設け、前記電動送風機室１５の上方を上カバー１６により覆い、また前記集塵室１３の上方へは、前記上カバー１６に軸支して開閉自在に回動する蓋体１８によって覆い被され構成されている。蓋体１８は、透光性を有する透明または半透明部２５と、前記透光性を有する部分２５より透光性の低い不透明部２４で構成し、前記透明または半透明部２５よりも不透明部２４の面積を大きくしたので、外部からの光を入りにくくしている。また、蓋体１８は不透明部２４に設けた開口部２４ａの外側外周に、透明または半透明部２５とのエアータイトを目的とした軟質部材２６を介在させ、透明または半透明部２５の略外周を溶着又は接着により貼り合わせた構成としたので、組立てが容易に行えると共に、透明または半透明部２５のソリに影響すること無く確実な固定が行える。さらに前記軟質部材２６があるため、掃除機本体１０の落下あるいは、家具等への衝突等により、若干溶着又は接着部に外れが発生したとしても、軟質部材２６により集塵室１３内部へ外気が流入するのを防止することができ、掃除機本体１０の吸引力を低下させることが無いのである。
【００２５】
以下、構成の詳細について説明する。
【００２６】
前記集塵手段１２は、硬質材で形成した固定部１２ａと軟質材で通風性を有し、袋状に形成した集塵室１２ｂにより構成され、前記集塵室１３の前方には逆止弁２２を保持した前壁２１が形成され、その集塵室１３側下方には断面が略Ｌ字状の保持リブ４５をコの字状に設けている。また、その上方にはバネ４６に付勢し軸支して回動する固定部押さえ４７が配設されており、これらは前記集塵手段１２を収納するための保持手段として構成されるものである。その収納においては、次の通りである。
【００２７】
集塵手段１２は装着部であるバスケット２３に装着され、その後バスケット２３ごと集塵室１３に装着し、固定部１２ａの上端枠へ固定部押さえ４７を回動して引っ掛けにより保持を達成し、収納を行うものとしている。またその際前記固定部１２ａは、逆支弁２２と密着した状態で保持されるものとなり、塵埃を補集する集塵手段１２と集塵室１３とのタイトが確立し、ゴミもれ対策が行えるものとなっている。また集塵室１２ｂが膨らんだ時、前記集塵室１２ｂの膨らみを略上方から所定以内に押さえる押さえ部材である袋押さえ部材４４が蓋体１８内面に爪嵌合またはネジにより固定されている。
【００２８】
次に前記電動送風機１４は、クッション前４２及びクッション後１７を介して下カバー１１と上カバー１６とで狭持している。又集塵室１３を仕切る仕切壁１９を下カバー１１及び蓋体１８に相対するように設けており、この仕切壁１９同士の間にパッキン４２を介して空気のタイトを行い、気密性を確保している。集塵室１３と電動送風機室１５とは仕切壁１９によって仕切られており、仕切壁１９に設けた連通口２０を経て集塵室１３と空気が連通するようにしている。また、この連通口２０には格子状にリブを形成している。前記連通口２０の集塵室１３側前方、所謂集塵室１３内には、下カバー１１より立設し収納された集塵手段１２の集塵室１２ｂ外面に臨んで、振動動作を与えるための振動板２９を有した除塵手段２８が設けられている。前記振動板２９の外側天面に透明のアクリルで形成された断面が略円形状の表示発光手段である発光棒２７が固定されている。
【００２９】
また、集塵室１３内部に振動板２９が装着された状態において、振動板２９に固定された前記発光棒２７の一端面側の略中心に向かって光が照射される位置にＬＥＤ４３が設けられている。その状態においてＬＥＤ４３から光が照射されると、発光棒２７全体がＬＥＤ４３の光色と同一の色で発光し、前記蓋体１８が閉じた状態において、透明または半透明部２５の外側から発光棒２７が発光していることを視認でき、表示手段となっている。尚、発光棒２７の発光時期、時間においては以降説明する除塵手段２８の動作時あるいは、動作前後の何時においても発光させて良い。
【００３０】
いわゆる透明または半透明部２５は、発光棒２７および集塵室１３内部の少なくとも一部を、外方から目視できる範囲のみに配設されており、集塵室１３内部の発光棒２７が点灯した場合、外部の光が入り込みにくくなるようにしたことで、容易に発光棒２７を視認することができる。また、集塵室１３内部の少なくとも一部を、外方から目視できるため、集塵状態、例えば、塵埃集積の状態や集塵室１３内における塵埃のこぼれ具合等も、外方から目視確認できるため、使用性が向上するものである。なお、本実施の形態においては、発光棒２７は集塵室１３の内部に配設されているが、集塵室１３の近傍に設けられていても、蓋体１８にて覆われていればよい。また、発光棒２７および集塵室１３内部の少なくとも一部を、外方から目視できる範囲とは、使用者が掃除機本体１０の外方から前記掃除機本体１０を見たときに、発光棒２７の点灯や点滅、集塵室１３内部の状態を目視にて確認できればよい範囲のことをいう。
【００３１】
前記除塵手段２８の構成及び動作の詳細を説明する。
【００３２】
図６〜図８において、振動装置２８は集塵室１３下方の下カバー１１下部内に格納され蓋カバー３０で固定されており、振動装置２８の本体ケース３１からは、可動板３２より立設下中空円柱状のアーム３３が集塵室１３内へ突出しており、このアーム３３に格子形状をなす振動板２９の下部にある突起４８が挿入嵌合されている。振動板２９は、仕切壁１９の連通口２０に面する集塵室１２ｂの外面に臨んだ位置に配設しているため、集塵室１２ｂを通過して連通口２０から吸引される吸引風を遮らないように格子形状としている。
【００３３】
また、アーム３３はリング状のゴム製ブッシング３４を介して本体ケース３１に固定されている。本体ケース３１内には、電磁石３５と電磁石３６の吸引作用面と対向して平行に配置された磁石３７を先端部に固着した可動板３２が内蔵されており、可動板３２の磁石３７と反対側の一端はゴム製のスリーブ３８を介してネジ３９により、可動板３２が回動自在となるように本体ケース３１に固定されている。振動制御回路によりスイッチがＯＮされ電磁石３５にＡＣ１００Ｖ電源が通電されると、電磁石３６に生じた磁界により先端部に磁石３７を固着した可動板３２はネジ３９で固定した一端を支点として、アーム３３がゴム製ブッシング３４を前後に撓ませながら矢印４０、４１方向へＡＣ１００Ｖ電源の電源周波数（５０Ｈｚまたは６０Ｈｚ）に応じた周期で振動する。その振動はアーム３３を介して振動板２９に伝えられ、振動板２９も同様に矢印４０、４１方向へ振動し、集塵手段１２の集塵室１２ｂの外面を振動させ除塵を行うものである。
【００３４】
上記構成によって、前記集塵室１２ｂに付着した塵埃を除塵する除塵手段２８を有した構成とすることにより、前記集塵手段１２の集塵室１２ｂに付着し堆積した塵埃をはたき落とすことが可能となる。その結果、吸引風の低下を減少させ吸引効率を良化させることができるものとなる。また、除塵手段２８を集塵室１３内部に設けたことにより、除塵手段２８の構成として複数の部品による動作の連動が不用となり、且つ直接集塵手段１２への除塵動作を与えることが可能となるため、構成の簡素化、部品数の削減並びに関係部品の低減による規制緩和で前記除塵手段の構成の多様化が実現できるものとなる。
【００３５】
また、集塵室１３内部に設けた集塵手段１２の集塵室１２ｂに除塵手段２８が動作を加えるものとしたことで、主として塵埃が付着し堆積した部分を直接動作させることになるので効率的な効果が得られるものとなる。また、集塵室１３の内部に設けた集塵手段１２の集塵室１２ｂを軟質材で形成したことにより、除塵手段２８による動作が軟質材で形成した集塵室１２ｂのみの動きで緩和され、硬質材で形成した固定部１２ａまでは前記動作が伝わらないものとなる。
【００３６】
その結果、仕切壁１９と前記集塵手段１２の固定部１２ａとの密着部への動きの連動が無くなり、タイト性の向上が実現しゴミ漏れ等が解消されるものとなる。また、電動送風機室１５と集塵室１３を連通する連通口２０を有し、除塵手段２８を前記連通口２０近傍に配設するものとしたことにより、吸引風が通過し塵埃の付着が多い集塵室１２ｂの除塵が可能となる。その結果、前記除塵手段２８における効果の拡大が図れるものとなる。又、除塵手段２８を連通口２０に対向される位置に配設するものとしたことにより、最も吸引風が通過し塵埃の付着が多い集塵室１２ｂの除塵が可能となる。
【００３７】
その結果、より前記除塵手段における効果の拡大が図れるものとなる。また、除塵手段２８は通気性を有するものとしたことにより、吸引風に対する通風抵抗が低減でき、電気掃除機における吸い込み性能の劣化を防止することができる。
【００３８】
（実施の形態２）
本発明の第２の実施の形態について図９をもとに説明する。なお、上記実施の形態と同一部分については同一符号を付してその説明を省略する。
【００３９】
本実施の形態は、透光性を有する部材で形成した蓋体１８に、発光棒２７や集塵室１３の内部の少なくとも一部を外方より目視できる範囲外を、透光性を有する部材で形成した蓋体１８より透光性の低い部材４８で隠すようにしたので、発光棒２７の視認性を向上させ、かつ掃除機本体１０の落下あるいは、家具等への衝突等によりエアー漏れを起こすことが無い、電気掃除機を提供できる。
【００４０】
また、透光性を有する部分は、発光棒２７および集塵室１３内部の少なくとも一部を、外方から目視できる範囲のみに配設されており、集塵室１３内部の発光棒２７が点灯した場合、外部の光が入り込みにくくなるようにしたことで、容易に発光棒２７を視認することができる。また、集塵室１３内部の少なくとも一部を、外方から目視できるため、集塵状態、例えば、塵埃集積の状態や集塵室１３内における塵埃のこぼれ具合等も、外方から目視確認できるため、使用性が向上するものである。
【００４１】
（実施の形態３）
本発明の第３の実施の形態について図１０をもとに説明する。なお、上記実施の形態と同一部分については同一符号を付してその説明を省略する。
【００４２】
本実施の形態は、透光性を有する部材で形成した蓋体１８に、発光棒２７や集塵室１３の内部の少なくとも一部を外方より目視できる範囲外を、塗装４９により隠すようにしたので、発光棒２７の視認性を向上させ、かつ掃除機本体１０の落下あるいは、家具等への衝突等によりエアー漏れを起こすことが無く、構成も容易となり安価な電気掃除機を提供できる。
【００４３】
また、透光性を有する部分は、発光棒２７および集塵室１３内部の少なくとも一部を、外方から目視できる範囲のみに配設されており、集塵室１３内部の発光棒２７が点灯した場合、外部の光が入り込みにくくなるようにしたことで、容易に発光棒２７を視認することができる。また、集塵室１３内部の少なくとも一部を、外方から目視できるため、集塵状態、例えば、塵埃集積の状態や集塵室１３内における塵埃のこぼれ具合等も、外方から目視確認できるため、使用性が向上するものである。
【００４４】
（実施の形態４）
本発明の第４の実施の形態について図１０をもとに説明する。なお、上記実施の形態と同一部分については同一符号を付してその説明を省略する。
【００４５】
本実施の形態は、蓋体１８は一体成形により透光性を有する部材２５と透光性を有する部材２５より透光性の低い部材４９から成り、発光棒２７や集塵室１３の内部の少なくとも一部を外方より目視できる範囲外を、透光性の低い部材４９により隠すようにしたので、発光棒２７の視認性を向上させると共に、エア-タイトも確実に行え、さらには蓋体１８の前記透光性を有する部材２５と透光性の低い部材４９を組立てる製造工程が簡略化でき、安価な電気掃除機を提供できる。
【００４６】
また、透光性を有する部材２５は、発光棒２７および集塵室１３内部の少なくとも一部を、外方から目視できる範囲のみに配設されており、集塵室１３内部の発光棒２７が点灯した場合、外部の光が入り込みにくくなるようにしたことで、容易に発光棒２７を視認することができる。また、集塵室１３内部の少なくとも一部を、外方から目視できるため、集塵状態、例えば、塵埃集積の状態や集塵室１３内における塵埃のこぼれ具合等も、外方から目視確認できるため、使用性が向上するものである。
【００４７】
（実施の形態５）
本発明の第５の実施の形態について図１０をもとに説明する。なお、上記実施の形態と同一部分については同一符号を付してその説明を省略する。
【００４８】
本実施の形態は、透光性を有する部材で形成した蓋体１８に、発光棒２７や集塵室１３の内部の少なくとも一部を外方より目視できる範囲外を、シボ加工４９により隠すようにしたので、発光棒２７の視認性を向上させると共に、エア-タイトも確実に行え、さらには蓋体１８の前記透光性を有する部分２５と、透光性の低いシボ加工４９部分を同時に成形することができ製造工程が簡略化できるので、さらに安価な電気掃除機を提供できる。
【００４９】
また、透光性を有する部分は、発光棒２７および集塵室１３内部の少なくとも一部を、外方から目視できる範囲のみに配設されており、集塵室１３内部の発光棒２７が点灯した場合、外部の光が入り込みにくくなるようにしたことで、容易に発光棒２７を視認することができる。また、集塵室１３内部の少なくとも一部を、外方から目視できるため、集塵状態、例えば、塵埃集積の状態や集塵室１３内における塵埃のこぼれ具合等も、外方から目視確認できるため、使用性が向上するものである。
【産業上の利用可能性】
【００５０】
以上のように、本発明にかかる電気掃除機は、集塵室内部の発光表示手段が点灯した場合の視認性を向上させ、あらゆる機器の表示手段としての応用が可能であり、安価な構成で極めて有用なものである。
【図面の簡単な説明】
【００５１】
【図１】本発明の実施の形態１を示す電気掃除機本体の断面図
【図２】同電気掃除機の集塵室内部の分解斜視図
【図３】同電気掃除機の集塵室内部の分解斜視図
【図４】同電気掃除機の外観斜視図
【図５】図４のＡ−Ａ断面図
【図６】同蓋体を外した状態の本体の斜視図
【図７】同下カバーおよび除塵手段の部品構成を示した斜視図
【図８】同除塵手段の振動装置を下視した拡大図
【図９】本発明の実施の形態２を示す蓋体の分解斜視図
【図１０】本発明の実施の形態３、４、５を示す蓋体の斜視図
【図１１】従来の電気掃除機の断面図
【符号の説明】
【００５２】
１３  集塵室
１４  電動送風機
１８  蓋体
２３  バスケット
２４  不透明部（透光性を有する部分より透光性の低い部分）
２５  透明または半透明部（透光性を有する部分）
２６  軟質部材
２７  発光棒（発光表示手段）
２８  振動装置
２９  振動板
４３  ＬＥＤ
４４  袋押さえ部材
【図１】
2005065914.tif 000003
【図２】
2005065914.tif 000004
【図３】
2005065914.tif 000005
【図４】
2005065914.tif 000006
【図５】
2005065914.tif 000007
【図６】
2005065914.tif 000008
【図７】
2005065914.tif 000009
【図８】
2005065914.tif 000010
【図９】
2005065914.tif 000011
【図１０】
2005065914.tif 000012
【図１１】
2005065914.tif 000013